(57)【要約】【課題】玄関ドアを選択するユーザの利便性を向上させる技術を提供する。【解決手段】ドア情報提供装置１００は、玄関ドアに関する情報を保持するドア情報保持部１５１と、玄関ドアを選択するに際して重視すべき玄関ドアの機能または外観に関する複数の条件をユーザから受け付けて設定する条件設定部と、ドア情報保持部１５１に保持された情報を参照して、条件設定部により設定された条件にしたがって玄関ドアを選択する推奨候補選択部１１７と、推奨候補選択部１１７により選択された玄関ドアの情報をユーザに提示する推奨候補提示部１１８とを備える。【選択図】図２
2018032185.tif 000002
【特許請求の範囲】
【請求項１】
玄関ドアに関する情報を保持するドア情報保持部と、
玄関ドアを選択するに際して重視すべき玄関ドアの機能または外観に関する複数の条件をユーザから受け付けて設定する条件設定部と、
前記ドア情報保持部に保持された情報を参照して、前記条件設定部により設定された条件にしたがって玄関ドアを選択する選択部と、
前記選択部により選択された玄関ドアの情報をユーザに提示する提示部と、
を備えることを特徴とするドア情報提供装置。
【請求項２】
地域に関する情報と、前記地域において玄関ドアに推奨または要求される断熱仕様とを対応付けて保持する地域情報保持部を更に備え、
前記条件設定部は、玄関ドアを設置する場所に関する情報をユーザから受け付け、前記地域情報保持部を参照して、玄関ドアを設置する場所に対応する断熱仕様を条件として設定することを特徴とする請求項１に記載のドア情報提供装置。
【請求項３】
前記提示部は、所定の提示数の玄関ドアの情報をユーザに提示し、
前記選択部は、前記条件設定部により設定された全ての条件を満たす玄関ドアの数が前記提示数に満たない場合、設定された条件のうち必ず満たすべき条件は満たし、かつ、前記必ず満たすべき条件以外の条件のうちの一部を満たさない玄関ドアも選択することを特徴とする請求項１または２に記載のドア情報提供装置。
【請求項４】
前記選択部は、前記提示数のうち一部については、前記必ず満たすべき条件以外の条件のうちの第１条件を満たさない玄関ドアを選択し、前記提示数のうち残りについては、前記第１条件とは異なる第２条件を満たさない玄関ドアを選択することを特徴とする請求項３に記載のドア情報提供装置。
【発明の詳細な説明】
【技術分野】
【０００１】
本発明は、ドア情報提供技術、とくに、玄関ドアを選択するユーザに玄関ドアの情報を提供するためのドア情報提供装置に関する。
【背景技術】
【０００２】
玄関ドアは、家屋の顔とも言うべき、家屋の外観を構成する重要な建築部材である。したがって、自宅を新築または改築する施主にとって、玄関ドアの選択は重大な関心事であるが、玄関ドアのデザインは多種多様である上、型が同じであっても、色、ハンドルまたはノブの種類、錠前の種類、ポストの有無、通風口の有無、採光窓の有無、断熱仕様などの組み合わせにより、膨大な数の種類が存在するため、これらの中から、好みに合い、かつ、要求される性能を有する玄関ドアを適切に選択することは至難の業である。
【０００３】
所望の建具を容易に選択可能とするための技術として、例えば、特許文献１に記載された建具選択処理装置がある。
【先行技術文献】
【特許文献】
【０００４】
【特許文献１】特開２０１４−１６４５３３号公報
【発明の概要】
【発明が解決しようとする課題】
【０００５】
特許文献１に記載された技術により、建具に関する知識を有している専門家の利便性はある程度向上されるとしても、専門知識を有しない施主が適切な玄関ドアを自力で選択するのは依然として困難であった。
【０００６】
本発明は、このような課題に鑑みてなされ、その目的は、玄関ドアを選択するユーザの利便性を向上させる技術を提供することにある。
【課題を解決するための手段】
【０００７】
上記課題を解決するために、本発明のある態様のドア情報提供装置は、玄関ドアに関する情報を保持するドア情報保持部と、玄関ドアを選択するに際して重視すべき玄関ドアの機能または外観に関する複数の条件をユーザから受け付けて設定する条件設定部と、ドア情報保持部に保持された情報を参照して、条件設定部により設定された条件にしたがって玄関ドアを選択する選択部と、選択部により選択された玄関ドアの情報をユーザに提示する提示部と、を備える。
【０００８】
この態様によると、ユーザは、玄関ドアの性能や仕様などの専門知識を有していなくても、重視すべき機能または外観に関する複数の条件を指定することにより、所望の玄関ドアの情報を入手することができるので、ユーザの利便性を大幅に向上させることができる。
【発明の効果】
【０００９】
本発明によれば、玄関ドアを選択するユーザの利便性を向上させる技術を提供することができる。
【図面の簡単な説明】
【００１０】
【図１】実施の形態に係るドア情報提供システムの構成を示す図である。
【図２】実施の形態に係るドア情報提供装置の機能ブロックを示す図である。
【図３】ドア情報保持部の内部データの例を示す図である。
【図４】地域情報保持部の内部データの例を示す図である。
【図５】背景画像設定部が提示する画面の例を示す図である。
【図６】背景画像設定部が提示する画面の例を示す図である。
【図７】断熱仕様設定部および枠種別設定部が提示する画面の例を示す図である。
【図８】機能設定部が提示する画面の例を示す図である。
【図９】機能設定部が提示する画面の例を示す図である。
【図１０】デザイン設定部が提示する画面の例を示す図である。
【図１１】ドア画像設定部が提示する画面の例を示す図である。
【図１２】ドア画像設定部が提示する画面の例を示す図である。
【図１３】推奨候補提示部が提示する画面の例を示す図である。
【図１４】詳細情報提示部が提示する画面の例を示す図である。
【図１５】ドア情報テーブルの内部データの例を示す図である。
【発明を実施するための形態】
【００１１】
実施の形態に係るドア情報提供システムは、多数の玄関ドアの中からユーザに合った推奨候補を選択し、その詳細情報をユーザに提供する。これにより、自宅を新築又はリフォームする施主や施工業者などのユーザが、施主の好みに合った玄関ドアを選択する際に、膨大な量のカタログを参照する手間を省くことができるので、ユーザの利便性を大幅に向上させることができる。
【００１２】
図１は、実施の形態に係るドア情報提供システム１０の構成を示す。ドア情報提供システム１０は、玄関ドアに関する情報をユーザに提供するドア情報提供装置１００、玄関ドアのメーカーが管理するメーカーサーバ２０、ユーザにより使用されるユーザ端末３０、玄関ドアの設置工事を施工する施工業者により使用される施工業者端末４０、およびこれらの装置を接続する通信手段の一例であるインターネット８０を含む。自宅の新築又はリフォームに際して玄関ドアの情報を必要とするユーザは、ユーザ端末３０からインターネット８０を介してドア情報提供装置１００にアクセスし、ドア情報提供装置１００から玄関ドアに関する情報を取得することができる。また、施主から玄関ドアの設置工事の施工を依頼された施工業者は、施工業者端末４０からインターネット８０を介してドア情報提供装置１００にアクセスし、ドア情報提供装置１００から玄関ドアに関する情報を取得して、施主に提供することができる。ドア情報提供装置１００は、ウェブサーバとして構成されてもよく、ウェブページを介して本発明の機能をユーザ端末３０および施工業者端末４０に提供してもよい。ドア情報提供装置１００がユーザ端末３０および施工業者端末４０に提供する玄関ドアに関する情報は、メーカーサーバ２０からドア情報提供装置１００に提供されてもよい。
【００１３】
図２は、実施の形態に係るドア情報提供装置１００の機能ブロックを示す。各ブロックは、ハードウェア的には、ＣＰＵやメモリをはじめとする素子や回路で実現でき、ソフトウェア的にはコンピュータプログラム等により実現される。ここでは、それらの連携により実現される機能ブロックを描いている。これらの機能ブロックは、ハードウェア、ソフトウェアの組合せにより様々な態様で実現できる。以降のブロック図も同様である。
【００１４】
ドア情報提供装置１００は、通信部１０２、制御部１１０、および記憶装置１５０を備える。通信部１０２は、インターネット８０を介した、メーカーサーバ２０、ユーザ端末３０、および施工業者端末４０などとの間の通信を制御する。通信部１０２は、有線または無線の任意の通信技術を用いて、他の装置との間で通信を行ってもよい。
【００１５】
記憶装置１５０は、ドア情報保持部１５１、ドア詳細情報保持部１５２、および地域情報保持部１５３を備える。
【００１６】
ドア情報保持部１５１は、ユーザに合った玄関ドアの推奨候補を選択するために必要な情報を保持する。ドア詳細情報保持部１５２は、ユーザに提供される玄関ドアの詳細情報を保持する。地域情報保持部１５３は、玄関ドアを設置する地域と、その地域において推奨または要求される玄関ドアの断熱仕様との対応関係を保持する。
【００１７】
図３は、ドア情報保持部１５１の内部データの例を示す。ドア情報保持部１５１には、ドアＩＤ欄、断熱仕様欄、枠種別欄、デザイン欄、色欄、防火区分欄、吊元欄、機能欄が設けられている。ドアＩＤ欄には、玄関ドアを一意に識別するためのＩＤが格納される。断熱仕様欄には、玄関ドアの断熱仕様が格納される。枠種別欄には、玄関ドアの枠の種別が格納される。デザイン欄には、玄関ドアのデザインの種別が格納される。色欄には、玄関ドアの色が格納される。防火区分欄には、玄関ドアの防火性能が格納される。吊元欄には、玄関ドアが右開きであるか左開きであるかを示す情報が格納される。機能欄には、玄関ドアが各種の機能を備えているか否かを示す情報が格納される。後述するように、本実施の形態のドア情報提供装置１００では、施主が玄関ドアを選択する際に重視する機能を指定することができるようになっており、指定可能な機能として、電気錠などの解錠が容易な錠前を備える「ラクラク玄関キー」機能、通風口などの空気の出入りを可能とする構成を備える「すっきり風通し」機能、採光窓などの光の入射を可能とする構成を備える「しっかり明るく」機能、間口の広い扉を備える「入り口広く」機能、高い断熱性能を有する「とことん断熱」機能、および投函口を備える「ポスト付き」機能が設けられている。
【００１８】
図４は、地域情報保持部１５３の内部データの例を示す。地域情報保持部１５３には、都道府県欄、市区町村欄、郵便番号欄、および断熱仕様欄が設けられている。都道府県欄、市区町村欄、および郵便番号欄には、玄関ドアが設置される場所の都道府県名、市区町村名、および郵便番号が格納される。断熱仕様欄には、その場所において推奨または要求される玄関ドアの断熱仕様が格納される。例えば、寒冷地域においては断熱性能の高い玄関ドアが推奨され、温暖地域においては断熱性能の低い玄関ドアも許容される。また、建築基準法や条例などの法規や、省エネルギー基準などの行政基準に基づいて、その地域において玄関ドアに必要とされる断熱仕様がある場合は、その断熱仕様が格納される。
【００１９】
図２に戻り、制御部１１０は、背景画像設定部１１１、断熱仕様設定部１１２、枠種別設定部１１３、機能設定部１１４、デザイン設定部１１５、ドア画像設定部１１６、推奨候補選択部１１７、推奨候補提示部１１８、および詳細情報提示部１１９を備える。
【００２０】
背景画像設定部１１１は、玄関ドアの画像をユーザに提示する際に背景として使用する画像を設定する。断熱仕様設定部１１２は、玄関ドアを設置する建物がある地域において推奨または要求される断熱仕様を設定する。枠種別設定部１１３は、玄関ドアの枠の種別を設定する。機能設定部１１４は、施主が重視する玄関ドアの機能を設定する。デザイン設定部１１５は、施主が好む玄関ドアのデザインの種別を設定する。断熱仕様設定部１１２、枠種別設定部１１３、機能設定部１１４、およびデザイン設定部１１５は、本発明の条件設定部の一例であり、玄関ドアを選択するに際して重視すべき玄関ドアの機能または外観に関する複数の条件をアンケート形式でユーザに質問し、ユーザから回答を受け付けて設定する。ドア画像設定部１１６は、推奨候補として選択された玄関ドアの画像を提示するための設定を行う。推奨候補選択部１１７は、設定された条件に基づいて、ドア情報保持部１５１を参照し、玄関ドアの推奨候補を選択する。推奨候補提示部１１８は、推奨候補選択部１１７により選択された推奨候補を提示する。詳細情報提示部１１９は、推奨候補の中からユーザが選択した玄関ドアの詳細情報を提示する。
【００２１】
以上の構成による動作を、提示される画面の例を参照しながら説明する。
【００２２】
図５および図６は、背景画像設定部１１１が提示する画面の例を示す。背景画像設定部１１１は、図５に示すように、玄関ドアの画像をユーザに提示する際に背景として使用する画像の選択を受け付けるための画面を提示する。ユーザは、背景画像として、自宅の写真とサンプルイメージのいずれを使用するかを選択することができる。ユーザが自宅の写真を選択した場合、背景画像設定部１１１は、自宅の写真のデータのアップロードを受け付けるための画面を提示し、ユーザの自宅の写真のデータを取得する。背景画像設定部１１１は、取得した写真を背景画像に設定する。
【００２３】
ユーザがサンプルイメージを選択した場合、背景画像設定部１１１は、図６に示すように、背景画像として使用可能なサンプルイメージの一覧を提示し、ユーザによる選択を受け付ける。ユーザが、サンプルイメージの一覧の中から、自宅の外壁に近いサンプルイメージを選択すると、背景画像設定部１１１は、ユーザが選択したサンプルイメージを背景画像に設定する。サンプルイメージは、二次元の画像であってもよいし、三次元の形状データをレンダリングした画像であってもよい。
【００２４】
図７は、断熱仕様設定部１１２および枠種別設定部１１３が提示する画面の例を示す。断熱仕様設定部１１２は、図７に示すように、玄関ドアを設置するユーザの自宅の郵便番号、または、都道府県および市区町村を受け付けるための画面を提示する。また、自宅が防火地域にあるか否かの情報を受け付ける。断熱仕様設定部１１２は、地域情報保持部１５３を参照して、ユーザから受け付けた地域に対応する断熱仕様を設定する。
【００２５】
さらに、図７に示した画面において、枠種別設定部１１３は、設置する玄関ドアの枠の種別を受け付ける。本実施の形態のドア情報提供装置１００は、主に、玄関のリフォームを検討しているユーザに対して玄関ドアの情報を提供することを想定しているので、現在の玄関ドアの枠の種別を受け付けるようになっているが、ユーザが大幅な改築を検討している場合や、自宅を新築する場合などにおいては、現在の玄関ドアの枠の種別にかかわらず、設置を検討している玄関ドアの枠の種別を選択すればよい。
【００２６】
図８および図９は、機能設定部１１４が提示する画面の例を示す。機能設定部１１４は、図８に示すように、玄関ドアが備えうる６種類の機能のうち、ユーザが重視したい機能の指定を受け付けるための画面を提示する。ユーザは、最大で３種類まで重視したい機能を指定することができる。機能設定部１１４は、ドア情報保持部１５１を参照して、図７に示した画面において設定された断熱仕様および枠種別に該当する玄関ドアが備える機能を選択し、選択した機能のみを指定可能とする。すなわち、設定された断熱仕様および枠種別により絞り込まれた玄関ドアの全てが備えない機能がある場合は、図９に示すように、絞り込まれた玄関ドアのうちの少なくともいずれかが備えている機能のみを指定可能に提示する。これにより、地域および枠種別を設定したことにより、いずれかの機能が指定できなくなったことをユーザに認識させることができる。ユーザは、玄関ドアの推奨候補を絞り込むための一連のアンケートのうちの初期段階において、いずれかの機能が指定できなくなったことを認識することができるので、必要であれば断熱仕様および枠種別の設定に戻ってやり直すことができる。図９に示した例では、指定可能な機能のみが提示されているが、別の例では、６種類全ての機能を提示しつつ、指定できない機能はグレーアウト表示して、指定を受け付けないようにしてもよい。これにより、地域および枠種別を設定したことにより指定できなくなった機能が何であるかをユーザが認識することができる。
【００２７】
図１０は、デザイン設定部１１５が提示する画面の例を示す。デザイン設定部１１５は、図１０に示すように、玄関ドアのデザインのうち、ユーザが好むデザインの指定を受け付けるための画面を提示する。ユーザは、「シンプルモダン」、「ナチュラル」、「洋風」の３種類のデザインの中から好みのデザインを指定することができる。この場合も、デザイン設定部１１５は、図７に示した画面において設定された断熱仕様および枠種別に該当する玄関ドアのデザインのみを指定可能とし、設定された断熱仕様および枠種別により絞り込まれた玄関ドアの中に、ある種類のデザインの玄関ドアが存在しない場合は、その種類のデザインを指定できないようにする。
【００２８】
図１１および図１２は、ドア画像設定部１１６が提示する画面の例を示す。ドア画像設定部１１６は、図１１に示すように、背景画像設定部１１１により設定された背景画像に合成するドア画像の位置の指定を受け付けるための画面を提示する。この画面において、ユーザが背景画像における玄関ドアの範囲の四隅を指定すると、ドア画像設定部１１６は、ドア画像の位置を設定する。背景画像としてユーザの自宅の写真が設定されている場合は、玄関ドアが正面から撮影されているとは限らないが、四隅を指定可能とすることにより、写真におけるドアの形状に合わせてドア画像を変形させてからはめ込むことができる。背景画像としてサンプルイメージが設定されている場合は、ドア画像を合成する位置は予め設定されていてもよい。この場合、図１１に示した画面は省略されてもよい。
【００２９】
ドア画像設定部１１６は、さらに、図１２に示すように、背景画像にサンプルのドア画像を合成して提示するとともに、玄関ドアが右開きであるか左開きであるかの指定を受け付けるための画面を提示する。ユーザが、扉の開き方を変更すると、ドア画像設定部１１６は、合成するドア画像を右開きのものと左開きのものとの間で変更する。または、ドア画像設定部１１６は、合成するドア画像を左右反転させる。
【００３０】
図１３は、推奨候補提示部１１８が提示する画面の例を示す。推奨候補選択部１１７は、設定された情報に基づいて、ドア情報保持部１５１を参照し、ユーザに推奨される玄関ドアの候補を選択する。推奨候補提示部１１８は、推奨候補選択部１１７により選択された推奨候補を提示する。図１３に示す例では、４つの玄関ドアを提示している。ユーザが、４つの推奨候補のうちいずれかを選択すると、推奨候補提示部１１８は、選択された玄関ドアのドア画像を背景画像に合成して提示する。ユーザが、玄関ドアのカラーを選択すると、推奨候補提示部１１８は、選択されたカラーの玄関ドアのドア画像を背景画像に合成して提示する。後述するように、推奨候補として提示される玄関ドアの中には、機能設定部１１４により設定された玄関ドアの機能に関する条件のうちの一部しか満たさないものが含まれうるので、提示される推奨候補がいずれの機能を有しているかがアイコンにより明示される。
【００３１】
図１４は、詳細情報提示部１１９が提示する画面の例を示す。詳細情報提示部１１９は、図１３に示した画面において、ユーザが４つの推奨候補のうちいずれかを選択して「詳細」ボタンをクリックすると、図１４に示すように、選択された玄関ドアの詳細情報をドア詳細情報保持部１５２から読み出して提示する。ユーザが「マイカタログを生成する」ボタンをクリックすると、詳細情報提示部１１９は、選択された玄関ドアの詳細情報を含むカタログを生成し、ＰＤＦデータとしてユーザ端末３０または施工業者端末４０に送信する。これにより、ユーザは、条件に合った玄関ドアのみが掲載されたカタログを入手することができる。また、施工業者は、施主に合った玄関ドアのみが掲載されたカタログを入手し、施主に提供することができる。詳細情報提示部１１９は、施主の氏名などの情報をさらに取得し、カタログの表紙に掲載してもよい。ユーザが「携帯電話に送信する」ボタンをクリックすると、詳細情報提示部１１９は、選択された玄関ドアの詳細情報を施主または施工業者の携帯電話に送信する。これにより、施主は、施工店やショールームなどに行った際に、選択した玄関ドアの詳細情報を担当者に見せて商談を進めることができる。また、施工業者は、選択した玄関ドアの詳細情報を施主に提示することができる。ユーザが「施工店」ボタンをクリックすると、詳細情報提示部１１９は、選択された玄関ドアの設置工事を施工することが可能な施工業者の情報を提示する。ユーザが「ショールーム」ボタンをクリックすると、詳細情報提示部１１９は、選択された玄関ドアを展示しているショールームの情報を提示する。
【００３２】
推奨候補選択部１１７は、設定された断熱仕様、枠種別、デザイン、吊元、機能の条件に合致する玄関ドアを、ドア情報保持部１５１を参照して抽出するが、全ての条件に合致する玄関ドアが推奨候補の提示数（上記の例では４つ）よりも多く抽出される場合や、抽出された玄関ドアの数が推奨候補の提示数に満たない場合がありうる。提示数よりも多くの推奨候補が抽出された場合、推奨候補選択部１１７は、所定の条件にしたがって、抽出された推奨候補をさらに絞り込む。例えば、設定された複数の条件のそれぞれに重みを付け、それぞれの重みにしたがって、条件に合致する度合いをスコアとして算出し、算出されたスコアの高い順に、提示する推奨候補を決定してもよい。推奨候補の提示数のうちの一部について、残りの推奨候補を決定するための重みとは異なる重みを付けた条件にしたがって、スコアを算出してもよい。例えば、４つの推奨候補のうち、２つについてはデザインの条件の重みを機能の条件の重みよりも重くしてスコアを算出し、残りの２つについては機能の条件の重みをデザインの条件の重みよりも重くしてスコアを算出してもよい。また、玄関ドアの種別に応じてスコアが設定されてもよい。例えば、販売実績が多い玄関ドアのスコアが高く設定されてもよいし、玄関ドアのメーカーがスコアを設定してもよい。
【００３３】
抽出された推奨候補の数が提示数に満たなかった場合、推奨候補選択部１１７は、いずれかの条件を外して、再度、推奨候補を抽出する。いずれの条件を無視し、いずれの条件を優先すべきかが、予め設定されていてもよい。前述したように、断熱仕様および枠種別の条件は他の条件よりも先に設定され、機能およびデザインを設定する際には、断熱仕様および枠種別の条件に合致した玄関ドアのいずれかが備える機能およびデザインのみが指定可能とされたが、これは、断熱仕様および枠種別の条件は必ず満たす必要があり、無視することはできないからである。したがって、推奨候補選択部１１７は、断熱仕様および枠種別以外の条件、すなわち、デザインまたは機能の条件を外して推奨候補を抽出する。これにより、断熱仕様や枠種別など、玄関ドアを選定するにあたって必ず満たすべき条件を満たす玄関ドアを推奨候補として抽出することができる。この場合、例えば、提示する全ての推奨候補について、デザインよりも機能の条件が優先されてもよいし、機能よりもデザインの条件が優先されてもよい。または、推奨候補の提示数のうちの一部については第１の条件を外し、残りの推奨候補については第１の条件とは異なる第２の条件を外してもよい。例えば、４つの推奨候補のうち、２つについてはデザインの条件を外して機能の条件を優先し、残りの２つについては機能の条件を外してデザインの条件を優先してもよい。６種類の機能に関する条件の間にも、優先順位が定められていてもよい。また、条件を１つずつ外しつつ推奨候補を抽出し、それぞれの条件を無視した場合の推奨候補の抽出数に応じて、いずれの条件を無視し、いずれの条件を優先すべきかを決定してもよい。いずれかの条件を無視して推奨候補を抽出した結果、提示数よりも多くの推奨候補が抽出された場合は、前述したように、スコアを算出して推奨候補を提示数まで絞ってもよい。いずれか１つの条件を無視しても抽出数が提示数に満たない場合は、複数の条件を無視してもよい。
【００３４】
上記の例では、推奨候補選択部１１７は、設定された条件にしたがって、ドア情報保持部１５１に情報が格納された玄関ドアの中から推奨候補を抽出したが、別の例では、設定された条件の組み合わせごとに推奨候補として提示する玄関ドアを対応付けて格納したドア情報テーブルを保持し、推奨候補選択部１１７は、ドア情報テーブルを参照し、設定された条件に対応付けられた推奨候補を選択してもよい。
【００３５】
図１５は、ドア情報テーブルの内部データの例を示す。ドア情報テーブルには、断熱仕様欄、枠種別欄、デザイン欄、防火区分欄、吊元欄、機能欄、および推奨候補欄が設けられている。断熱仕様欄、枠種別欄、デザイン欄、防火区分欄、吊元欄、および機能欄には、設定された条件が格納され、推奨候補欄には、設定された条件に対応して推奨候補として提示すべき玄関ドアのＩＤが格納される。
【００３６】
推奨候補選択部１１７は、ドア情報テーブルにおいて、設定された条件に合致する行を検索し、検索された行に格納されている推奨候補を選択する。これにより、ドア情報テーブルを作成するメーカーなどの意向を推奨候補に反映させることができる。また、条件に応じて、推奨候補として提示する玄関ドアの種別を調整することができる。
【００３７】
以上の実施形態、変形例により具体化される発明を一般化すると、以下の技術的思想が導かれる。
【００３８】
前述の態様のドア情報提供装置において、地域に関する情報と、地域において玄関ドアに推奨または要求される断熱仕様とを対応付けて保持する地域情報保持部を更に備えてもよく、条件設定部は、玄関ドアを設置する場所に関する情報をユーザから受け付け、地域情報保持部を参照して、玄関ドアを設置する場所に対応する断熱仕様を条件として設定してもよい。
この態様によると、ユーザは、地域において玄関ドアに推奨または要求される断熱仕様を知らなくても、玄関ドアを設置する場所に関する情報を指定することにより適切な耐火仕様の玄関ドアの情報を入手することができるので、ユーザの利便性を大幅に向上させることができる。
【００３９】
前述の態様のドア情報提供装置において、提示部は、所定の提示数の玄関ドアの情報をユーザに提示してもよく、選択部は、条件設定部により設定された全ての条件を満たす玄関ドアの数が提示数に満たない場合、設定された条件のうち必ず満たすべき条件は満たし、かつ、必ず満たすべき条件以外の条件のうちの一部を満たさない玄関ドアも選択してもよい。
この態様によると、ユーザは、玄関ドアの性能や仕様などの専門知識を有していなくても、必ず満たすべき条件を満たした玄関ドアの情報を入手することができるので、ユーザの利便性を大幅に向上させることができる。
【００４０】
前述の態様のドア情報提供装置において、選択部は、提示数のうち一部については、必ず満たすべき条件以外の条件のうちの第１条件を満たさない玄関ドアを選択し、提示数のうち残りについては、第１条件とは異なる第２条件を満たさない玄関ドアを選択してもよい。
この態様によると、異なる観点で選択した複数の推奨候補をユーザに提示することができるので、ユーザの利便性を大幅に向上させることができる。
【符号の説明】
【００４１】
１０・・・ドア情報提供システム、１００・・・ドア情報提供装置、１１１・・・背景画像設定部、１１２・・・断熱仕様設定部、１１３・・・枠種別設定部、１１４・・・機能設定部、１１５・・・デザイン設定部、１１６・・・ドア画像設定部、１１７・・・推奨候補選択部、１１８・・・推奨候補提示部、１１９・・・詳細情報提示部、１５１・・・ドア情報保持部、１５２・・・ドア詳細情報保持部、１５３・・・地域情報保持部。
【図１】
2018032185.tif 000003
【図２】
2018032185.tif 000004
【図３】
2018032185.tif 000005
【図４】
2018032185.tif 000006
【図５】
2018032185.tif 000007
【図６】
2018032185.tif 000008
【図７】
2018032185.tif 000009
【図８】
2018032185.tif 000010
【図９】
2018032185.tif 000011
【図１０】
2018032185.tif 000012
【図１１】
2018032185.tif 000013
【図１２】
2018032185.tif 000014
【図１３】
2018032185.tif 000015
【図１４】
2018032185.tif 000016
【図１５】
2018032185.tif 000017